(57)【要約】【課題】  シャッタ秒時をマニュアル設定する場合でも、操作の煩雑さを招くことなくフリッカを低減することができる撮像装置を提供する。【解決手段】  被写体の撮像を行う撮像手段と、フリッカを検出するフリッカ検出手段と、前記撮像手段により撮像を行う際のシャッタ秒時を設定するための操作手段と、前記フリッカ検出手段によりフリッカが検出され、かつ、前記操作手段により設定されたシャッタ秒時が所定値である場合、前記検出されたフリッカの周波数と前記設定されたシャッタ秒時とに基づいて決定されるシャッタ秒時で前記撮像手段により撮像を行うように制御する制御手段を有する。【選択図】  図１
2010268363.tif 000002
【特許請求の範囲】
【請求項１】
被写体の撮像を行う撮像手段と、
フリッカを検出するフリッカ検出手段と、
前記撮像手段により撮像を行う際のシャッタ秒時を設定するための操作手段と、
前記フリッカ検出手段によりフリッカが検出され、かつ、前記操作手段により設定されたシャッタ秒時が所定値である場合、前記検出されたフリッカの周波数と前記設定されたシャッタ秒時とに基づいて決定されるシャッタ秒時で前記撮像手段により撮像を行うように制御する制御手段と、を有することを特徴とする撮像装置。
【請求項２】
前記検出されたフリッカの周波数と前記設定されたシャッタ秒時とに基づいて決定されるシャッタ秒時は、前記検出されたフリッカが低減されるシャッタ秒時であることを特徴とする請求項１に記載の撮像装置。
【請求項３】
前記検出されたフリッカの周波数と前記設定されたシャッタ秒時とに基づいて決定されるシャッタ秒時は、前記検出されたフリッカが低減されるシャッタ秒時のうち、前記設定されたシャッタ秒時に最も近いシャッタ秒時であることを特徴とする請求項１または２に記載の撮像装置。
【請求項４】
前記制御手段は、前記操作手段により設定できるシャッタ秒時のうち、前記検出されたフリッカが低減されるシャッタ秒時との差分の絶対値が最小となるシャッタ秒時を前記所定値とすることを特徴とする請求項１ないし３のいずれか１項に記載の撮像装置。
【請求項５】
前記検出されたフリッカが低減されるシャッタ秒時は複数あって、前記制御手段は、前記操作手段により設定できるシャッタ秒時のうち、前記検出されたフリッカが低減される複数のシャッタ秒時のそれぞれに対して差分の絶対値が最小となる複数のシャッタ秒時を前記所定値とすることを特徴とする請求項１ないし４のいずれか１項に記載の撮像装置。
【請求項６】
前記制御手段は、前記検出されたフリッカの周波数に応じて前記所定値を変更することを特徴とする請求項１ないし５のいずれか１項に記載の撮像装置。
【請求項７】
前記制御手段は、前記検出されたフリッカの周波数が第１の周波数の場合は前記所定値を第１の所定値にして、第２の周波数の場合は前記所定値を第２の所定値にすることを特徴とする請求項１ないし６のいずれか１項に記載の撮像装置。
【請求項８】
前記検出されたフリッカの周波数と前記設定されたシャッタ秒時とに基づいて決定されるシャッタ秒時で前記撮像手段により撮像を行う場合に、前記設定されたシャッタ秒時で前記撮像手段により撮像を行う場合との露出差を補償する露出差補償手段を有することを特徴とする請求項１ないし７のいずれか１項に記載の撮像装置。
【請求項９】
前記露出差補償手段は、絞り値およびゲインの少なくとも一方を変更して前記露出差を補償することを特徴とする請求項８に記載の撮像装置。
【請求項１０】
前記撮像装置は動画撮影が可能であって、動画撮影を行う場合、前記操作手段により設定できるシャッタ秒時の範囲は、動画撮影におけるフレームレートに基づいて決定されることを特徴とする請求項１ないし９に記載の撮像装置。
【請求項１１】
被写体の撮像を行う撮像手段を備え、前記撮像手段により撮像を行う際のシャッタ秒時をマニュアル設定できる撮像装置の制御方法であって、
フリッカを検出するフリッカ検出ステップと、
マニュアル設定されたシャッタ秒時を取得する取得ステップと、
前記フリッカ検出ステップでフリッカが検出され、かつ、前記取得ステップで取得されたシャッタ秒時が所定値である場合、前記検出されたフリッカの周波数と前記マニュアル設定されたシャッタ秒時とに基づいて決定されるシャッタ秒時で前記撮像手段により撮像を行うように制御する制御ステップと、を有することを特徴とする撮像装置の制御方法。
【発明の詳細な説明】
【技術分野】
【０００１】
本発明は、撮像装置に関し、特にフリッカ低減処理を行う撮像装置に関するものである。
【背景技術】
【０００２】
従来、ＣＣＤやＣＭＯＳセンサを使用した撮像装置において、商用電源に接続した蛍光灯下で動画撮影を行うと、シャッタ秒時（シャッタスピード）によってはフレーム毎に明るさが変動したり、フレーム内に明暗の横縞が発生したりすることが知られている。一般に、この明暗の変動はフリッカと呼ばれている。なお、電源周波数が５０Ｈｚの場合に生じるフリッカに対しては、ｎ／１００秒（ｎは自然数）、電源周波数が６０Ｈｚの場合に生じるフリッカに対してはｎ／１２０秒のシャッタ秒時で電子シャッタを制御することで、フリッカを低減することができる。
【０００３】
例えば、特許文献１では、前述したようなフリッカを低減できるシャッタ秒時となるようにシャッタ秒時を自動で切り替えながら、露出の最適化を図る方法が開示されている。
【先行技術文献】
【特許文献】
【０００４】
【特許文献１】特開２００３−１８９１７２号公報
【発明の概要】
【発明が解決しようとする課題】
【０００５】
しかしながら、上述の特許文献１は、ユーザがシャッタ秒時をマニュアル設定する場合について考慮されていなかった。そのため、ユーザがマニュアルでシャッタ秒時を設定する場合、ユーザが設定したシャッタ秒時がフリッカを低減できるシャッタ秒時でなければフリッカが発生してしまうという課題があった。また、シャッタ秒時をマニュアル設定可能な撮像装置は、シャッタ秒時をあらかじめ決められた段数でのみ選択可能な場合が多く、フリッカを低減可能なシャッタ秒時がマニュアル設定の選択肢に存在しないこともある。
【０００６】
例えば、１／３段ステップでシャッタ秒時をマニュアル設定可能な撮像装置を用いて５０Ｈｚの電源周波数に起因するフリッカが存在する環境で撮影を行う場合、図８に示すように、いずれのシャッタ秒時を選択してもフリッカを低減することができない。
【０００７】
そこで、マニュアル設定可能なシャッタ秒時の選択肢を増やすことが考えられるが、マニュアル設定可能なシャッタ秒時の選択肢を単純に増やすだけでは、ユーザが目的のマニュアル設定値を選ぶまでの手順が増加し、操作の煩雑さを招くことになる。
【０００８】
本発明は上記の課題を鑑みてなされたものであり、シャッタ秒時をマニュアル設定する場合でも、操作の煩雑さを招くことなくフリッカを低減することができる撮像装置を提供することを目的とする。
【課題を解決するための手段】
【０００９】
上記目的を達成するために、本発明に係る撮像装置は、被写体の撮像を行う撮像手段と、フリッカを検出するフリッカ検出手段と、前記撮像手段により撮像を行う際のシャッタ秒時を設定するための操作手段と、前記フリッカ検出手段によりフリッカが検出され、かつ、前記操作手段により設定されたシャッタ秒時が所定値である場合、前記検出されたフリッカの周波数と前記設定されたシャッタ秒時とに基づいて決定されるシャッタ秒時で前記撮像手段により撮像を行うように制御する制御手段と、を有することを特徴とする。
【発明の効果】
【００１０】
本発明によれば、シャッタ秒時をマニュアル設定する場合でも、操作の煩雑さを招くことなくフリッカを低減することができる。
【図面の簡単な説明】
【００１１】
【図１】実施例１に係る撮像装置の構成を示すブロック図である。
【図２】実施例１に係る撮像装置のシャッタ秒時変換処理を示すフローチャートである。
【図３】実施例１に係る撮像装置の５０Ｈｚフリッカ用秒時変換の例を示す図である。
【図４】実施例１に係る撮像装置のマニュアル設定秒時と５０Ｈｚフリッカ低減用秒時との関係を示す図である。
【図５】実施例１に係る撮像装置の６０Ｈｚフリッカ用秒時変換の例を示す図である。
【図６】実施例１に係る撮像装置のマニュアル設定秒時と６０Ｈｚフリッカ低減用秒時との関係を示す図である。
【図７】実施例２に係る撮像装置の構成を示すブロック図である。
【図８】従来の撮像装置のシャッタ秒時のマニュアル設定を示す図である。
【発明を実施するための形態】
【００１２】
以下に、本発明の好ましい実施の形態を、添付の図面に基づいて詳細に説明する。
【実施例１】
【００１３】
以下、図１を参照して、本発明の第１の実施例に係る撮像装置１００について説明する。図１は、本発明の第１の実施例に係る撮像装置１００のブロック図である。
【００１４】
撮像レンズ１１１に入射した光束は、絞り１１２を介し、光学像として撮像素子１１３に結像することができる。絞り１１２は、絞り駆動部１４２から出力される信号に基づいて駆動する。絞り駆動部１４２は、システム制御部１３１内のデバイス制御部１３３の制御により、絞り１１２に絞り駆動量を出力する。
【００１５】
撮像素子１１３は、被写体の撮像を行う、例えば、ＣＭＯＳセンサやＣＣＤセンサであり、タイミングジェネレータ１４３から出力されるタイミング信号に基づいて駆動し、被写体の光学像を光電変換してアナログ信号に変換する。タイミングジェネレータ１４３は、システム制御部１３１内のデバイス制御部１３３の制御により、電子シャッタを制御するタイミング信号を撮像素子１１３に出力する。
【００１６】
アナログ信号処理部１１４は、撮像素子１１３からのアナログ信号を、サンプルホールドし、アナログゲインを付加し、Ａ／Ｄ変換によってデジタル信号へと変換して出力する。デジタル信号処理部１２１は、アナログ信号処理部１１４から出力されたデジタル信号を、後述のデジタル信号処理を施し、メモリ制御部１５１を介して、メモリ１５２に保存する。またデジタル信号処理部１２１は、メモリ１５２に保存されたデジタル映像信号を、メモリ制御部１５１を介して読出し、画像表示部１６１に出力する。
【００１７】
デジタル信号処理部１２１は、デジタルゲイン部１２２、フリッカ検出部１２３、画像処理部１２４を有する。デジタルゲイン部１２２は、デジタル信号にデジタルゲインを付加して、画像処理部１２４、フリッカ検出部１２３に出力する。
【００１８】
フリッカ検出部１２３は、デジタル信号を解析して、信号中のフリッカ成分を抽出し、フリッカの有無とフリッカの周波数を判定し、判定結果を出力する。蛍光灯のフリッカを想定しているため、判定結果は５０Ｈｚの電源周波数に起因するフリッカ（以下、５０Ｈｚフリッカとする）、もしくは６０Ｈｚの電源周波数に起因するフリッカ（以下、６０Ｈｚフリッカとする）のいずれかとなる。なお、本実施例では、５０Ｈｚフリッカの周波数を第１の周波数とし、６０Ｈｚフリッカの周波数を第２の周波数とする。
【００１９】
画像処理部１２４は、種々のデジタル信号処理を実施し、例えば、画素補間処理や色変換処理を行う。画像表示部１６１は、例えば、ＬＣＤ等の画像表示装置である。フリッカ発生の有無は、画像表示部１６１を見ることで確認することができる。
【００２０】
操作部１４１は、シャッタ秒時をマニュアル設定する場合に設定値を切り替え可能な操作ダイヤルを有し、ユーザによる入力操作をシステム制御部１３１に出力する。また操作部１４１は、シャッタレリーズボタンや、各種操作ボタンを有する。
【００２１】
システム制御部１３１は、ＣＰＵ、ＲＯＭ、ＲＡＭからなるマイクロコンピュータであり、ＲＯＭに保存されたプログラムを実行する。またシステム制御部１３１は、シャッタ秒時指示部１３２と、デバイス制御部１３３と、蓄積時間変換部１３４を有する。
【００２２】
シャッタ秒時指示部１３２は、シャッタ秒時の全マニュアル設定値を保持している。またシャッタ秒時指示部１３２は、操作部１４１におけるシャッタ秒時の操作ダイヤルの変更を受けて、保持しているマニュアル設定値から一つの設定値を選択し、蓄積時間変換部１３４に出力する。
【００２３】
蓄積時間変換部１３４は、シャッタ秒時指示部１３２から出力される設定値を、あらかじめ定めておいた変換値へ変換する手段を備える。また蓄積時間変換部１３４は、変換した変換値を電子シャッタ制御値としてデバイス制御部１３３に出力する。
【００２４】
デバイス制御部１３３は、タイミングジェネレータ１４３に電子シャッタ制御値を出力し、絞り駆動部１４２に絞り駆動量を出力する。そして、撮像素子１１３の電荷蓄積時間は、この電子シャッタ制御値に基づいてタイミングジェネレータ１４３から出力される電子シャッタを制御するタイミング信号により制御される。
【００２５】
図２は、本実施例におけるシャッタ秒時変換処理を説明するためのフローチャートである。蓄積時間変換部１３４は、シャッタ秒時指示部１３２の出力を受けてシャッタ秒時変換処理を開始する（Ｓ０１）。まず、シャッタ秒時指示部１３２からマニュアル設定された設定値を取得し（Ｓ０２）、フリッカ検出部１２３のフリッカ検出結果を取得する（Ｓ０３）。フリッカ検出の結果は３通りであり、それぞれの結果によって、以下のように制御が切り替わる（Ｓ０４）。
【００２６】
フリッカなしの場合、フリッカ低減用のシャッタ秒時を使用する必要がないため、設定値の変換は行わず（Ｓ０５）、そのままの設定値をデバイス制御部１３３に出力する（Ｓ０８）。５０Ｈｚフリッカが検出された場合、５０Ｈｚフリッカを低減するために５０Ｈｚフリッカ用秒時変換を実行して（Ｓ０６）、変換した変換値をデバイス制御部１３３に出力する（Ｓ０８）。同様に、６０Ｈｚフリッカが検出された場合、６０Ｈｚフリッカを低減するために６０Ｈｚフリッカ用秒時変換を実行して（Ｓ０７）、変換した変換値をデバイス制御部１３３に出力する（Ｓ０８）。
【００２７】
デバイス制御部１３３への出力が完了したら、蓄積時間変換部１３４はシャッタ秒時変換処理を終了する（Ｓ０９）。以上のようにして、実際に用いるシャッタ秒時が決定される。
【００２８】
図３は、５０Ｈｚフリッカ検出時の５０Ｈｚフリッカ用秒時変換の例を示す図である。動画撮影のみでなく静止画撮影可能な撮像装置の場合、シャッタ秒時は、慣例的に１／３段ステップでマニュアル設定が可能であることが多い。このとき、シャッタ秒時指示部１３２は、ｎを整数として、２−ｎ／３秒の設定値を出力する。操作部１４１の操作ダイヤルを１ステップ変更するごとに、ｎは１増加、もしくは１減少する。一方、５０Ｈｚフリッカを低減可能なシャッタ秒時は、ｍを自然数として、ｍ／１００秒である。３０フレーム毎秒の動画撮影を仮定した場合は、フレームレートより長いシャッタ秒時は設定できないため、ｎ≧１５、１≦ｍ≦３である。ここで、マニュアル設定可能なシャッタ秒時と５０Ｈｚフリッカを低減可能なシャッタ秒時との差分を△Ｔｖとして、
△Ｔｖ＝２−ｎ／３−ｍ／１００      （式１）
と定義する。
【００２９】
ある自然数ｍのときに△Ｔｖの絶対値｜△Ｔｖ｜が最小となるｎの組み合わせ、すなわち、（ｎ，ｍ）の組み合わせを考えると、ｎ≧１５、１≦ｍ≦３の前提では、
（ｎ，ｍ）＝（１５，３）、（１７，２）、（２０，１）
となる。すなわち、５０Ｈｚフリッカを低減可能なシャッタ秒時は複数あって、５０Ｈｚフリッカを低減可能な複数のシャッタ秒時のそれぞれに対して差分の絶対値が最小となるシャッタ秒時が存在することとなる。
【００３０】
図４にｍ＝１、２、３のそれぞれにおける｜△Ｔｖ｜とｎの関係を表すグラフを示す。図４からも前述の（ｎ，ｍ）の組み合わせで｜△Ｔｖ｜が最小になることがわかる。
【００３１】
そこで、蓄積時間変換部１３４は、シャッタ秒時指示部１３２の出力が２−１５／３秒の場合、３／１００秒に変換する。同様に、２−１７／３秒の場合、２／１００秒に変換し、２−２０／３秒の場合、１／１００秒に変換する。そして、シャッタ秒時指示部１３２の出力が第１の所定値（２−１５／３秒、２−１７／３秒、２−２０／３秒）以外の場合は変換を実施しない。
【００３２】
上記のようにして、図３に示した、５０Ｈｚフリッカ検出時の５０Ｈｚフリッカ用秒時変換の対応関係を求めることができる。詳しくは、５０Ｈｚフリッカが検出され、かつ、操作部１４１により第１の所定値が設定された場合、５０Ｈｚフリッカを低減可能なシャッタ秒時のうち、操作部１４１により設定されたシャッタ秒時に最も近いシャッタ秒時が実際のシャッタ秒時として決定される。
【００３３】
これにより、シャッタ秒時をマニュアル設定する場合でも、５０Ｈｚフリッカを低減可能なケースを提供し、かつ、ユーザが意図したシャッタ秒時と実際のシャッタ秒時との差を最小限にすることができる。なお、フリッカを低減可能なシャッタ秒時に変換することでユーザが設定したシャッタ秒時と差が生じることになるが、生じる差が最小限となるシャッタ秒時が設定された場合にのみ変換するのでユーザの意図を損なわずに撮影することができる。
【００３４】
図５は、６０Ｈｚフリッカ検出時の６０Ｈｚフリッカ用秒時変換の例を示す図である。６０Ｈｚフリッカ用秒時変換においても、５０Ｈｚフリッカ用秒時変換と同様な手段を適用できる。シャッタ秒時指示部１３２は２−ｎ／３秒の設定値シャッタ秒時を出力し、撮像装置１００は３０フレーム毎秒の動画撮影を行うと仮定する。このとき６０Ｈｚフリッカを低減可能なシャッタ秒時は、ｍ／１２０秒であり、フレームレートを考慮すると、ｎ≧１５、１≦ｍ≦４である。ここで、マニュアル設定可能なシャッタ秒時と６０Ｈｚフリッカを低減可能なシャッタ秒時との差分を△Ｔｖとして、
△Ｔｖ  ＝  ２−ｎ／３−ｍ／１２０      （式２）
と定義する。
【００３５】
ある自然数ｍのときに△Ｔｖの絶対値｜△Ｔｖ｜が最小となるｎの組み合わせ、すなわち、（ｎ，ｍ）の組み合わせを考えると、ｎ≧１５、１≦ｍ≦４の前提では、
（ｎ，ｍ）＝（１５，４），（１６，３），（１８，２），（２１，１）
となる。すなわち、６０Ｈｚフリッカを低減可能なシャッタ秒時は複数あって、６０Ｈｚフリッカを低減可能な複数のシャッタ秒時のそれぞれに対して差分の絶対値が最小となるシャッタ秒時が存在することとなる。
【００３６】
図６にｍ＝１，２，３，４のそれぞれにおける｜△Ｔｖ｜とｎの関係を表すグラフを示す。図６からも前述の（ｎ，ｍ）の組み合わせで｜△Ｔｖ｜が最小になることがわかる。
【００３７】
そこで、蓄積時間変換部１３４は、シャッタ秒時指示部１３２の出力が２−１５／３秒の場合、４／１２０秒に変換する。同様に、２−１６／３秒の場合、３／１２０秒に変換し、２−１８／３秒の場合、２／１２０秒に変換し、２−２１／３秒の場合、１／１２０秒に変換する。そして、シャッタ秒時指示部１３２の出力が第２の所定値（２−１５／３秒、２−１６／３秒、２−１８／３秒、２−２１／３秒）以外の場合は変換を実施しない。なお、５０Ｈｚフリッカ用秒時変換における第１の所定値と６０Ｈｚフリッカ用秒時変換における第２の所定値はそれぞれ複数のシャッタ秒時を示しているが、シャッタ秒時の組み合わせが異なっている。すなわち、検出されたフリッカの周波数に応じてシャッタ秒時変換処理を行うシャッタ秒時は変更される。
【００３８】
上記のようにして、図５に示した、６０Ｈｚフリッカ検出時の６０Ｈｚフリッカ用秒時変換の対応関係を求めることができる。詳しくは、６０Ｈｚフリッカが検出され、かつ、操作部１４１により第２の所定値が設定された場合、６０Ｈｚフリッカを低減可能なシャッタ秒時のうち、操作部１４１により設定されたシャッタ秒時に最も近いシャッタ秒時が実際のシャッタ秒時として決定される。これにより、シャッタ秒時をマニュアル設定する場合でも、６０Ｈｚフリッカを低減可能なケースを提供し、かつ、ユーザが意図したシャッタ秒時と実際のシャッタ秒時との差を最小限にすることができる。なお、５０Ｈｚフリッカを低減する場合と同様に、生じる差が最小限となるシャッタ秒時が設定された場合にのみ変換するのでユーザの意図を損なわずに撮影することができる。
【００３９】
蓄積時間変換部１３４は、図３、図４に示したようなシャッタ秒時指示部１３２の出力に応じた変換テーブルを、システム制御部１３１の不図示のＲＯＭにあらかじめ保存しておくことで効率的に変換することができる。また、蓄積時間変換部１３４は、（式１）、（式２）から絶対値を求める演算を実行し、変換テーブルを生成するようにしてもよい。
【００４０】
シャッタ秒時指示部１３２の出力は１／３段ステップのシャッタ秒時である必要はなく、Ｆを正の小数として、Ｆ段ステップのシャッタ秒時でもよい。この場合、（式１）、（式２）の変わりに
２−ｎ×Ｆ−ｍ／１００      （式３）
２−ｎ×Ｆ−ｍ／１２０      （式４）
の絶対値が最小となる（ｎ，ｍ）の組み合わせを求めればよい。
【００４１】
以上のように、検出したフリッカの周波数に応じてマニュアル設定されたシャッタ秒時をフリッカを低減可能なシャッタ秒時に変換することで、シャッタ秒時をマニュアル設定する場合でも、操作の煩雑さを招くことなくフリッカを低減することができる。また、シャッタ秒時を変換することで生じる差が最小限となるシャッタ秒時が設定された場合にのみ変換することで、ユーザの意図を損なわずに撮影することができる。
【００４２】
なお、マニュアル設定したシャッタ秒時を維持して撮影したい場合に上述したフリッカ低減処理を行わないように、フリッカ低減処理を行うか否かを切替える切り替え手段を有する構成にしてもよい。
【実施例２】
【００４３】
以下、図７を参照して、本発明の第２の実施例に係る撮像装置２００について説明する。図１と同一構成部分には同一符号を付して重複箇所の説明を省略する。
【００４４】
図７に示す撮像装置２００は、図１に示した撮像装置１００とは異なり、さらに露出差算出部２１１を備えて構成される。
【００４５】
露出差算出部２１１は、シャッタ秒時指示部１３２の出力するユーザにマニュアル設定された設定値と、蓄積時間変換部１３４が出力する変換値を入力として受け付ける。また露出差算出部２１１は、前述の設定値および変換値の差分を求めて、その差分をゲインに変換し、アナログ信号処理部１１４、もしくはデジタルゲイン部１２２に出力する。アナログ信号処理部１１４が実施するアナログゲインの分解能と、デジタルゲイン部１２２が実施するデジタルゲインの分解能が異なる場合、両方のゲインを組み合わせることで露出差を補償することができる。
【００４６】
露出差算出部２１１の露出差算出方法と、アナログゲインの算出方法と、デジタルゲインの算出方法を次に示す。
【００４７】
シャッタ秒時指示部１３２の出力する設定値をＴｖ１、蓄積時間変換部１３４が出力する変換された変換値をＴｖ２とする。アナログゲイン最小設定単位でのゲインをｒａ、デジタルゲイン最小設定単位でのゲインをｒｄとし、仮にｒａ＞ｒｄとする。
【００４８】
露出差算出部２１１は、演算を開始すると、Ｔｖ１、Ｔｖ２を取得する。次に、Ｔｖ２とＴｖ１の差分をＥとすると
Ｅ＝Ｔｖ２／Ｔｖ１      （式５）
として差分Ｅを算出する。
【００４９】
小数点以下の切り捨て処理をＩｎｔ（）と定義し、アナログゲインの設定値をｇａ、デジタルゲインの設定値をｇｄとすると、
ｇａ  ＝  Ｉｎｔ（Ｅ／ｒａ）                  （式６）
ｇｄ  ＝  Ｉｎｔ（（Ｅ−ｇａ×ｒａ）／ｒｄ）      （式７）
となる。
【００５０】
求められたｇａ、ｇｄを、それぞれアナログ信号処理部１１４とデジタルゲイン部１２２に出力して、露出差算出部２１１は演算を完了する。
【００５１】
以上のように、本実施例によれば、フリッカを低減するためにシャッタ秒時を変換することによって生じる露出差を、ゲインを変更することで補償することができる。
【００５２】
なお、本実施例では、ゲインを変更することでシャッタ秒時を変換することによって生じる露出差を補償したが、絞り値を変更することで露出差補償を行う構成であってもよいし、ゲインと絞り値をそれぞれ変更する構成であってもよい。
【００５３】
なお、上述した２つの実施例では、３０フレーム毎秒の動画撮影を行うと仮定したが、フレームレートは３０フレーム毎秒に限定されるものではなく、その他のフレームレートであっても構わない。その場合、設定されたフレームレートに応じて、（式１）〜（式４）における自然数ｍの範囲を変更すればよい。また、撮影時だけに限らず、撮像素子１１３に結像した光学像に基づく画像を画像表示部１６１に逐次表示する状態、いわゆるライブビュー状態においても上述したフリッカ低減処理を行ってもよい。
【００５４】
また、静止画撮影を行う場合に上述したフリッカ低減処理を行ってもよく、静止画撮影を行う前のライブビュー状態において取得した撮像素子１１３の出力に基づくデジタル信号を解析してフリッカ検出を行えばよい。
【００５５】
また、静止画撮影を行う場合、フレームレートは関係しないので、（式１）〜（式４）における自然数ｍの範囲に上限を設けずに（ｎ，ｍ）の組み合わせを演算すればよい。
【００５６】
また、上述した２つの実施例において撮影時のシャッタ秒時を表示する場合、フリッカ低減処理によって変換されたシャッタ秒時を表示するとユーザがマニュアル設定したシャッタ秒時と異なるシャッタ秒時が表示されることになる。そのため、ユーザが故障による表示ミス、あるいは自分の設定ミスだと認識してしまう場合が考えられる。そこで、フリッカ低減処理によってシャッタ秒時が変換された場合であっても、ユーザがマニュアル設定したシャッタ秒時を表示するようにすればよい。例えば、ユーザにより設定されたシャッタ秒時が２−１５／３秒で６０Ｈｚフリッカ用秒時変換を行った場合、変換されたシャッタ秒時は４／１２０秒となる。この場合、６０Ｈｚフリッカ用秒時変換を行うことでシャッタ秒時は、ユーザにより設定されたシャッタ秒時よりも１／４８０秒長くなるが、長くなる時間はユーザにより設定されたシャッタ秒時の１／１５程度である。そのため、シャッタ秒時が長くなることによる影響は非常に小さくユーザの意図を損なわずに撮影することができるので、フリッカ低減処理によってシャッタ秒時が変換された場合であっても、ユーザがマニュアル設定したシャッタ秒時を表示してもよい。
【００５７】
また、フリッカ低減処理によってシャッタ秒時が変換されてもユーザがマニュアル設定したシャッタ秒時を表示する場合、フリッカ低減処理によりシャッタ秒時が変換されていることがわかる指標を表示するようにしてもよい。この場合、５０Ｈｚフリッカ用秒時変換を行った場合と６０Ｈｚフリッカ用秒時変換を行った場合で異なる指標を表示するようにしてもよい。
【００５８】
また、フリッカ検出部１２３は、撮像素子１１３からの出力信号に基づいてフリッカの検出を行ったが、撮像素子１１３からの出力信号に限らず、測光センサなどその他のセンサの出力信号に基づいてフリッカの検出を行ってもよい。
【００５９】
また、マニュアル設定可能なシャッタ秒時の選択肢に検出されたフリッカを低減可能なシャッタ秒時があってユーザがそのシャッタ秒時を選択した場合には、上述したフリッカ低減処理を行わなくてもよい。例えば、ユーザがシャッタ秒時として１／６０秒をマニュアル設定できる場合、６０Ｈｚフリッカ用秒時変換における第２の所定値に１／６０秒を含まないようにすればよい。
【００６０】
その他、前述した機能を実現するソフトウェアのプログラムコードを記憶した記憶媒体をシステム或いは装置に供給し、そのシステム或いは装置が記憶媒体に格納されたプログラムコードを読み出し実行することによっても、達成されることは言うまでもない。
【００６１】
この場合、記憶媒体から読み出されたプログラムコード自体が前述した機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。
【００６２】
また、そのプログラムコードの指示に基づき、コンピュータ上稼動しているＯＳなどが実際の処理の一部または全部を行い、その処理によって前述した機能が実現される場合も含まれることは言うまでもない。
【００６３】
以上、本発明の好ましい実施の形態について説明したが、本発明はこれらの実施の形態に限定されず、その要旨の範囲内で種々の変形及び変更が可能である。
【符号の説明】
【００６４】
１００，２００  撮像装置
１１１  撮像レンズ
１１２  絞り
１１３  撮像素子
１１４  アナログ信号処理部
１２１  デジタル信号処理部
１２２  デジタルゲイン部
１２３  フリッカ検出部
１２４  画像処理部
１３１  システム制御部
１３２  シャッタ秒時指示部
１３３  デバイス制御部
１３４  蓄積時間変換部
１４１  操作部
１４２  絞り駆動部
１４３  タイミングジェネレータ
１５１  メモリ制御部
１５２  メモリ
１６１  画像表示部
２１１  露出差算出部
【図１】
2010268363.tif 000003
【図２】
2010268363.tif 000004
【図３】
2010268363.tif 000005
【図４】
2010268363.tif 000006
【図５】
2010268363.tif 000007
【図６】
2010268363.tif 000008
【図７】
2010268363.tif 000009
【図８】
2010268363.tif 000010